(57)【要約】      （修正有）【課題】切花に水の補給が出来、かつ横にした状態でも漏洩が無い包装箱を提供する。【解決手段】包装箱に組み込まれた保持台４の一部を折り返して設けられた切花の茎部を固定する茎受台４ｇを円弧状にし、更に短冊状の切込を入れる。この切込に軟質樹脂袋の口部の一片を差し込み、装着する。軟質樹脂製袋は差し込みだけで容易に脱落することがなく、台座固定される。同時に袋口部が開封される。ここに切花の茎部を同袋へ挿入、水の注入後にゴムバンドで台座に固定する。袋の口部の封着と茎受台への固定作業が同一化され、収納作業の省力化が出来る。【選択図】図１
0003147803.tif 000002
【実用新案登録請求の範囲】
【請求項１】
水を入れた軟質樹脂袋に切り花の茎部を挿入して、その口部を封着し、切花を立てた状態で収納して輸送する段ボール紙で組み立てられた切り花輸送ケースにおいて、切花輸送の際に、ケースを横にしたときに該軟質樹脂袋の口部を一定の高さに保持するため、該口部が位置するあたりに該軟質樹脂袋の保持台としてケース底板の保持台を起こし、右側中板に配置してある係止溝に底板の保持台を固定し、上方向への動きを止め、更にその保持台をそのまま直角に折り曲げ、茎受け台座部とし、箱下部からの高さも十分にとれ、作業性も良いことを特長とする切り花輸送ケース。
【請求項２】
箱内側に立ち上がらせた該保持台を、箱の左側板及び右側板に設置された係止板に付けられた係止溝を保持台上部に設けられた係止溝に差し込むだけで固定させることを可能にした、梱包作業に優れていることを特長とする切花輸送ケース。
【請求項３】
該茎受け台座に該軟質樹脂袋及び切り花を固定させるための輪ゴムを掛けるための溝を該茎受け台座の両側に配し、巾の広いボリュームのある花でも収納可能としたことを特長とする切り花輸送ケース。
【請求項４】
該茎受け台座の茎受け部を円弧にし、更にそこを折り曲げる事により段ボール紙の断面が直接茎に当たらない様にすることによって、茎へのダメージを和らげられることを特長とする切り花輸送ケース。
【考案の詳細な説明】
【技術分野】
【０００１】
本考案は、切り花を立てた状態で輸送する湿式切花輸送ケースに関するものである。
【背景技術】
【０００２】
切花輸送ケースは、段ボールで組み立てられた横長で高さの低い扁平な直方体で、切花を横に収納しての輸送が一般的に使用されている。このため、収納された後は切花に水が供給されず、市場についた状態で、花が萎えて品質が劣化した状態になることがあった。
【特許文献１】実用新案登録第3097762号
【考案の開示】
【考案が解決しようとする課題】
【０００３】
切花に水の補給が出来、横にした状態で水の漏洩がなく、切花を収納・取り出しの出来る様に開発されたケース、水を入れた軟質樹脂製袋に切花茎部を挿入し、口部を封着する。そして横に寝かせた状態でケースに収納する。このとき、その口部を一定の高さに保持出来る様、該口部が位置するあたりに背板から内側に突出する保持台が配置されている。
【課題を解決するための手段】
【０００４】
この発明では、水を入れた軟質樹脂製袋に切花の茎部を挿入し、口部をいったん封着後、茎受台座の上に収納し、さらに口部分を茎受台座に粘着テープまたはヒモ等で再び装着・固定するために、手間がかかる課題がある。また、組み込まれた該保持台はケース背面に上乗せ状態にあるために、花の茎部を装着し、ケースに立てると保持台が前のめりとなり、背面から離れる課題がある。よって、該保持台の一部を折り返して設けられた切花の茎部を固定する台座を円弧状にし、更に短冊状の切込を入れる。この切込に軟質樹脂袋の口部の一片を差し込み、装着する。軟質樹脂製袋は差し込みだけで容易に脱落することがなく、台座固定される。同時に袋口部が開封される。ここに切花の茎部を同袋へ挿入、水の注入後にゴムバンドで台座に固定する。袋の口部の封着と台座への固定作業が同一化され、収納作業の省力化が出来ることを特長としている。
【考案の効果】
【０００５】
本発明は、軟質樹脂袋の装着・切花の挿入、水の注入及び台座への固定が一貫作業で出来るため、切花の収納作業が容易となり、収納作業の省力化が出来る利点がある。
【考案を実施するための最良の形態】
【０００６】
以下、本発明切花輸送ケースの実施の形態を説明する。
図に示す様に、この切花輸送ケースは段ボール紙で作られている縦長の直方体で、上面の上板７、下部の底板１、左右の左側板３、右側板４、背面の背板５、全面の前板９とで形成されている。そして、全面の前板９は開閉可能とし、背板５の下部内側には直角に突出した保持台２が形成され、上部には予備の上折込板６が付設されている。
この花輸送ケースは、図１に示す矩形状のケース左体１ａと図２に示す矩形状のケース右体１ｂとを組立てて接着して作られている。ケース左体１ａには背板５、左側板４、底板１、保持台２が配置され、背板５と左側板３、左側板３と底板１、底板１と保持台２の境界には折曲可能に折線３ｃ、３ｄ、２aが付けられている。そして、底板５と保持台２の間には切込１５が付けられている。
また、左側板４には折曲片３ａを形成する折線３ｂが付けられている。
【０００７】
更に左側板４左側には保持台２を固定する為のコの字状の係止板４が付けられ、更に係止板４の部材には２本の折線４ｃが付けられている。また、保持台２の係止溝２ｅに差し込んで固定させるための係止溝４ａも合わせて付けられている。
保持台２は、図１で左右２個の係り止溝が２ｅが設せられ、その上部には直角に折り曲げる為の折線２ｃが付けられている。更に保持台２の下部には内容物の保護のための茎受台２ｇが付けられ、保持台２との境界には、折線２ｄが付けられている。
保持台２の組立は、まず２ａが内側になる様に垂直に折り曲げ、係止溝１１ｂに固定する。更に係止溝２ｅに係止板４及び１２を差し込む事によって固定する。更に茎受台２ｇを折線２ｄが外側になる様に折り込む事によって形成する。
一方、ケース右体１ｂには前板９、右側板１０、右側中板１１、上板７、上折込板６とが配置され、前板９と右側板１０、右側板１０と上板７、上板７と上折込板６との境界線には折線９ｂ、７ｃ、７ｂが付けられている。そして、前板９と上折込板６の間には切込１６が付けられている。
また、右側板１０の右側には保持台２を固定する為のコの字状の係止板１２が付けられ、更に係止板１２の部材には２本の折線１２ｃ、１２ｄが付けられている。また、保持台２の係止溝２ｅに差し込んで固定させるための係止溝１２ａも合わせて付けられている。
ケース左体１ａは折線２ａ、３ｂ、３ｃ、３ｄで折り曲げて背板５と左側板３及び底板１を形成する。
【０００８】
ケース右体１ｂも同様に折線７ｂ、７ｃ、９ｂ、１０ａで折り曲げ、前板９と右側板１０及び上板７を形成する。
次に保持台２の組立は折線２ａと２ｃが内側になる様に折り曲げ、係止溝１１ｂにこの保持台２の下部を差し込む事によって固定させる。更に係止板４の折線４ｃ、４ｄを折り曲げ、係止板４を箱の外側に突出させる。更に係止板１２も同様に折線１２ｃ、１２ｄを折り曲げ箱の外側に突出させる。次に係止板４の付けられている係止溝４ａ及び係止板１２に付けられている係止溝１２ａを保持台２に付けられている係止溝２ｅに差し込む事により、保持台２の上部を固定する。
この切花輸送ケースに切花を収納するときは、前板９が上面になるように横にして、切花の茎部を水を入れた軟質樹脂製袋に挿入する。このとき水の注入が切花の挿入より先であっても良い。次に切花の茎部が収められた軟質樹脂製袋の口部の首の部分をゴムバンドで茎受台の折曲片の何れかの部分に装着し固定する。
【０００９】
ここの状態で軟質樹脂製袋の口部は保持台に乗って一定の高さを保っているので、水のこぼれることは無い。
切花を収納したら、前板９を閉めて粘着テープで止め、縦置き状態に起こして、運搬する。輸送中、待機保管中は縦置き状態であるが、切花の選花、検査、市場におけるセリ台への搬入、搬出、ケースより花を取り出す場合は、横置きし、必要に応じて前板９を開放する。
【図面の簡単な説明】
【００１０】
【図１】切花輸送ケース左体
【図２】切花輸送ケース右体
【符号の説明】
【００１１】
１ａ．切花輸送ケース左体  １ｂ．切花輸送ケース右体３．底板    ３ａ．  ３ｂ．折曲片  ３ｃ．３ｄ．  折線４．保持台  ４ａ．折線  ４ｂ．係止穴  ４ｃ．４ｄ．折線  ４ｅ．係り止溝  ４ｇ．茎受台  ４ｆ．折曲片５．左側板  ５ａ．折曲片  ５ｂ．５ｃ．折線  ６．係止板  ６ａ．係止溝  ６ｂ．切込  ６ｃ．折線７．背板  ７ａ．折曲片８．底上板  ８ａ．折曲片  ９．上板  ９ａ．折曲片  ９ｂ．９ｃ．９ｄ．折線  １０．底中板  １０ａ．折曲片１１．前板  １１ａ．折曲片  １１ｂ．折線１２．右側板  １２ａ．折線  １３．右側中板  １３ａ．折曲片  １３ｂ．係止溝１４．係止板  １４ａ．係止溝  １４ｂ．切込  １４ｃ．１４ｄ．折線  １７．１８．１９．切込
【図１】
0003147803.tif 000003
【図２】
0003147803.tif 000004
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
水を入れた軟質樹脂袋に切り花の茎部を挿入して、その口部を封着し、切り花を立てた状態で収納して輸送する段ボール紙で組み立てられた切り花輸送ケースにおいて、切り花輸送の際に、該切り花輸送ケースを横にしたときに該軟質樹脂袋の口部を一定の高さに保持するため、該口部が位置するあたりに該軟質樹脂袋の保持台として該切り花輸送ケースの底板の保持台を起こし、該切り花輸送ケースの右側板に配置してある係止溝に該底板の保持台を固定し、上方向への動きを止め、更にその保持台をそのまま直角に折り曲げ、茎受け台座とし、該切り花輸送ケースの下部からの高さも十分にとれ、作業性も良いことを特徴とする切り花輸送ケース。
【請求項２】
該切り花輸送ケースの内側に立ち上がらせた該保持台を、該切り花輸送ケースの左側板及び右側板に設置された係止板に付けられた係止溝を該保持台上部に設けられた係止溝に差し込むだけで固定させることを可能にした、梱包作業に優れていることを特徴とする請求項１に記載の切り花輸送ケース。
【請求項３】
該茎受け台座に該軟質樹脂袋及び切り花を固定させるための輪ゴムを掛けるための溝を該茎受け台座の両側に配し、巾の広いボリュームのある花でも収納可能としたことを特徴とする請求項１又は２に記載の切り花輸送ケース。
【請求項４】
該茎受け台座の茎受け部を円弧にし、更にそこを折り曲げる事により段ボール紙の断面が直接茎に当たらない様にすることによって、茎へのダメージを和らげられることを特徴とする請求項１〜３のいずれかに記載の切り花輸送ケース。